(57)【要約】【課題】焼成時の収縮力で縦隔壁が中心方向に引っ張られ、傾斜しても前面板を押し上げて空隙が発生することのないプラズマディスプレイパネルを提供する。【解決手段】本発明のパネルは、互いに平行に配置された複数の表示電極対を有する前面板１１と、表示電極対と直交する方向に配置された複数のデータ電極を有する背面板１２とを対向配置したプラズマディスプレイパネルであって、背面板１２は、画像を表示する表示領域に、データ電極と平行に形成された縦隔壁３４と縦隔壁３４と直交する方向に形成された横隔壁３５とを有し、表示領域の外側の非表示領域に、表示領域に形成された縦隔壁３４よりも高さの低い縦隔壁を有する。【選択図】図４
2008041602.tif 000002
【特許請求の範囲】
【請求項１】
互いに平行に配置された複数の表示電極対を有する前面板と、前記表示電極対と直交する方向に配置された複数のデータ電極を有する背面板とを対向配置したプラズマディスプレイパネルであって、
前記背面板は、
画像を表示する表示領域に、前記データ電極と平行に形成された縦隔壁と前記縦隔壁と直交する方向に形成された横隔壁とを有し、
前記表示領域の外側の非表示領域に、前記表示領域に形成された前記縦隔壁よりも高さの低い縦隔壁を有する
ことを特徴とするプラズマディスプレイパネル。
【請求項２】
前記非表示領域に形成された縦隔壁は、前記表示領域に形成された横隔壁と同じ高さになるように形成したことを特徴とする請求項１記載のプラズマディスプレイパネル。
【請求項３】
前記非表示領域に形成された縦隔壁は、前記表示領域から遠い部分の高さが近い部分の高さより低くなるように形成したことを特徴とする請求項１記載のプラズマディスプレイパネル。
【発明の詳細な説明】
【技術分野】
【０００１】
本発明は、壁掛けテレビや大型モニター等に用いられるプラズマディスプレイパネルに関する。
【背景技術】
【０００２】
プラズマディスプレイパネル（以下、「パネル」と略記する）として代表的な交流面放電型パネルは、対向配置された前面板と背面板との間に多数の放電セルが形成されている。前面板は、１対の走査電極と維持電極とからなる表示電極対が前面ガラス基板上に互いに平行に複数対形成され、それらの表示電極対を覆うように誘電体層および保護層が形成されている。背面板は、背面ガラス基板上に複数の平行なデータ電極と、それらを覆うように誘電体層と、さらにその上にデータ電極と平行に形成された複数の縦隔壁と、この縦隔壁と交差し表示電極対と平行に形成された複数の横隔壁とで格子状の隔壁を構成している。そして、この格子状の隔壁の側面と誘電体層の表面とに蛍光体層が形成されている。表示電極対とデータ電極とが立体交差するように前面板と背面板とが対向配置されて密封され、格子状の隔壁で放電空間が形成され、放電空間内部にはキセノンを含む放電ガスが封入されている。このような構成のパネルにおいて、各放電セル内でガス放電により紫外線を発生させ、この紫外線でＲＧＢ各色の蛍光体を励起発光させてカラー表示を行っている。横隔壁の高さは、縦隔壁よりも低く形成されており、横隔壁と前面板の間には一定の空隙が存在している。前面板と背面板とを張り合わせてパネルが完成した後、この空隙を利用して放電セル内に残留する空気を排気した後、放電ガスを充填する。
【０００３】
さて、上述した格子状の隔壁は、ガラス基板上に感光性ペーストを隔壁の高さまで塗布した後、フォトマスクを用いて感光性ペーストを露光し、現像液で現像して、最後にガラス基板を焼成して形成される。そして、感光性ペーストはガラス基板の焼成時に一般に収縮するので、隔壁には引っ張り応力が発生する。そのため、例えば左右の両側に横隔壁が形成されている縦隔壁では左右の横隔壁からの引っ張り応力がつりあうため、縦隔壁が左右のどちらかに傾斜することはない。しかし、例えば格子状の隔壁の最も右側の縦隔壁では、その左側にのみ横隔壁が形成されているため左からの引っ張り応力が働き左側に傾斜する傾向がある。同様に、最も左側に形成された縦隔壁では、右側に傾斜する傾向が強い。ここで、格子状の隔壁の最も右側の縦隔壁が形成されている位置をガラス基板の右端、最も左側の縦隔壁が形成されている位置をガラス基板の左端と定義する。
【０００４】
縦隔壁が傾斜すると、傾斜した縦隔壁の頭頂部は他の縦隔壁よりも高くなり前面板を押し上げ、前面板と縦隔壁との間に隙間が発生する。この隙間によって横方向に隣接した放電セル間でクロストークが発生し、画質劣化につながっていた。
【０００５】
この問題を解決するために、ガラス基板上の左右両端に形成された縦隔壁と接する部分で横隔壁の幅を狭くし、横隔壁の引っ張り応力を抑制してガラス基板の焼成時に縦隔壁が傾斜するのを防止するパネル構造が提案されている（例えば、特許文献１参照）。
【特許文献１】特開２００２−２７０１０１号公報
【発明の開示】
【発明が解決しようとする課題】
【０００６】
しかしながら上述のパネルでは、ガラス基板の焼成時に縦隔壁が傾斜する程度を小さくできるが、傾斜そのものをなくすことはできない。従って、横方向に隣接する放電セル間のクロストークによる画質劣化が発生するという課題があった。
【０００７】
本発明は、上述した課題に鑑みなされたものであり、ガラス基板の焼成時にガラス基板上の左右両端に形成された縦隔壁が横隔壁に引っ張られて傾斜した場合にも、安定な放電を維持でき高画質表示が可能なパネルを提供することを目的とする。
【課題を解決するための手段】
【０００８】
上述した目的を達成するために、本発明のパネルは、互いに平行に配置された複数の表示電極対を有する前面板と、表示電極対と直交する方向に配置された複数のデータ電極を有する背面板とを対向配置したプラズマディスプレイパネルであって、背面板は、画像を表示する表示領域に、データ電極と平行に形成された縦隔壁と縦隔壁と直交する方向に形成された横隔壁とを有し、表示領域の外側の非表示領域に、表示領域に形成された縦隔壁よりも高さの低い縦隔壁を有することを特徴とする。この構成により、ガラス基板の焼成時にガラス基板上の左右両端に形成された縦隔壁が横隔壁に引っ張られて傾斜した場合にも、安定な放電を維持でき高画質表示が可能なパネルを提供できる。
【０００９】
また本発明のパネルは、非表示領域に形成された縦隔壁は、表示領域に形成された横隔壁と同じ高さになるように形成してもよい。これにより、非表示領域の縦隔壁の製造工程が簡単になる。
【００１０】
また本発明のパネルは、非表示領域に形成された縦隔壁は、表示領域から遠い部分の高さが近い部分の高さより低くなるように形成してもよい。これにより最も傾斜しやすい縦隔壁を最も低くできる。
【発明の効果】
【００１１】
本発明によれば、ガラス基板の焼成時にガラス基板上の左右両端に形成された縦隔壁が横隔壁に引っ張られて傾斜した場合にも、安定な放電を維持でき高画質表示が可能なパネルを提供することができる。
【発明を実施するための最良の形態】
【００１２】
以下、本発明の実施の形態におけるパネルについて、図面を用いて説明する。
【００１３】
（実施の形態１）
図１は本発明の実施の形態に用いるパネルの要部を示す分解斜視図である。図１において、パネル１０は、前面板１１と背面板１２が対向配置して、その間に放電空間が形成されるように構成されている。前面板１１のガラス製の前面基板２１上には表示電極対を構成する走査電極２２と維持電極２３とが互いに平行に対をなして複数形成されている。そして、走査電極２２および維持電極２３を覆うように誘電体層２４が形成され、誘電体層２４上には保護層２５が形成されている。また、背面板１２のガラス製の背面基板３１上には複数のデータ電極３２が平行に設けられ、そのデータ電極３２は絶縁体層３３で覆われ、さらに絶縁体層３３上に格子状の縦隔壁３４と横隔壁３５が設けられている。また、絶縁体層３３の表面および縦隔壁３４、横隔壁３５の側面に蛍光体層３６が設けられている。そして、走査電極２２および維持電極２３とデータ電極３２とが交差するように前面基板２１と背面基板３１とが対向配置されており、その間に形成される放電空間には、放電ガスとして、例えばネオンとキセノンの混合ガスが封入されている。図１で示すように縦隔壁３４はデータ電極３２と平行に形成され、横隔壁３５は縦隔壁３４と直行するように形成されている。また、横隔壁３５は縦隔壁３４よりも一段低く形成され、横隔壁３５と前面基板２１上の保護層２５との間には空隙ができている。この空隙を介してパネル１０内部の残留空気の排気や放電ガスの充填が行われる。
【００１４】
図２は本発明の実施の形態に用いる背面板１２全体の平面図であり、背面基板３１上に形成された格子状の隔壁構造を示している。説明を簡単にするために、絶縁体層３３、データ電極３２、蛍光体層３６は省略している。縦隔壁および横隔壁の形成される領域（以下、隔壁形成領域と呼ぶ）は背面板１２の中央部に位置する画像の表示領域４０と、表示領域４０の外側に位置し画像を表示しない非表示領域４１の２つの領域から構成されている。横隔壁３５は、隔壁形成領域の左端から右端まで横方向に一様に延びており、隔壁形成領域全体にわたって縦方向に一定間隔で形成されている。一方、縦隔壁３４は隔壁形成領域の上端から下端まで縦方向に一様に延びており、表示領域４０全体にわたって横方向に一定間隔で形成されている。そして、表示領域４０の左右に位置する非表示領域４１には縦隔壁３４と平行に左右３本づつの縦隔壁が形成されており、この非表示領域４１に形成された縦隔壁をダミー隔壁３４Ｄと呼ぶ。
【００１５】
本発明の実施の形態のパネル１０では背面板１２の非表示領域４１に形成されたダミー隔壁３４Ｄの高さを、表示領域４０に形成された縦隔壁３４の高さより低くすることにより、ガラス基板の焼成時にダミー隔壁３４Ｄがパネル中央方向へ引っ張られて傾斜しても前面板１１を押し上げることがないようにしたものである。
【００１６】
以下にその詳細について説明する。図３は本発明の実施の形態におけるパネル１０の背面板１２の平面図であり、図２に示した領域Ｓを拡大表示した図である。図３には縦隔壁３４を２本、ダミー隔壁３４Ｄを３本、および横隔壁を４本示しており、３本のダミー隔壁３４Ｄを右端から左方向に向かってそれぞれダミー隔壁３４Ｄａ、３４Ｄｂ、３４Ｄｃと呼ぶ。また、横隔壁３５は縦隔壁３４およびダミー隔壁３４Ｄと交差するように形成されており、右端でダミー隔壁３４Ｄａと結合している。縦隔壁３４と横隔壁３５の幅はそれぞれ７８μｍ、７５μｍであり、縦隔壁３４の間隔および横隔壁３５の間隔はそれぞれ２６４μｍ、７４７μｍである。また、ダミー隔壁３４Ｄの幅および間隔は縦隔壁３４と同じである。図３は表示領域４０の右側に位置する非表示領域４１上の隔壁構造を示しているが、表示領域４０の左側に位置する非表示領域４１では図３と左右対称な隔壁構造を有している。
【００１７】
図４は本発明の実施の形態１におけるパネル１０の断面図であり、図３のＡ−Ａ線断面図である。図４に示すように、本実施の形態では３本のダミー隔壁３４Ｄの高さは横隔壁３５の高さと同じであり、すべてのダミー隔壁３４Ｄが縦隔壁３４より低く形成されている。そして、縦隔壁３４の高さと横隔壁３５の高さはそれぞれ１２２μｍ、１０９μｍである。
【００１８】
このように非表示領域４１に形成されたダミー隔壁３４Ｄの高さを表示領域４０に形成された横隔壁３５と同じ高さになるように形成することにより、ガラス基板の焼成時に最も右側のダミー隔壁３４Ｄａがパネル中央方向（表示領域４０の側）へ引っ張られ、図４のように傾斜した場合も、頭頂部が前面板１１を押し上げることがない。従って、表示領域４０に形成された縦隔壁３４と前面板１１との間に空隙を作ることがなく、横方向の隣接放電セル間のクロストークを防止することができる。
【００１９】
次に、本発明の隔壁の製造方法について説明する。隔壁の製造方法としてはサンドブラスト法、印刷法、フォトリソグラフ法等種々の方法があるが、ここでは比較的簡単で、精度のよいフォトリソグラフ法による製法を説明する。
【００２０】
この製造工程は横隔壁３５とダミー隔壁３４Ｄを形成する第一工程と縦隔壁３４を形成する第二工程の２つの工程とを有する。まず第一工程では、背面基板３１の絶縁体層３３上に１層目の感光性ペーストを横隔壁３５の高さまで塗布し、乾燥させて１層目の感光性ペーストの塗布膜を形成する。続いて、横隔壁用およびダミー隔壁用のフォトマスクを用いて露光装置で露光を行う。
【００２１】
第二工程では、露光により感光された１層目の感光性ペーストの塗布膜の上にさらに縦隔壁３４の高さまで感光性ペーストを塗布し、乾燥させて２層目の感光性ペーストの塗布膜を形成する。２層目の感光性ペーストの塗布膜は縦隔壁用のフォトマスクを用いて露光する。次に、１層目と２層目の感光性ペーストの現像を現像液を用いて行う。最後に焼成により固化させ格子状の隔壁が完成する。以上の工程により、１層目と２層目の感光性ペーストの塗布膜の厚みによって決まる高さを有する縦隔壁３４と、１層目の感光性ペーストの塗布膜の厚みによって決まる高さを有する横隔壁３５およびダミー隔壁３４Ｄが形成される。
【００２２】
上述したように、ダミー隔壁３４Ｄを形成するには、従来、第二工程で使用していたフォトマスクのダミー隔壁用の露光パターンを、第一工程で使用するフォトマスクに移動すればよい。従って、従来の製造方法をほとんど変えることなく、本実施の形態におけるダミー隔壁３４Ｄを形成できる。
【００２３】
なお、隔壁の製造方法としては、上記に限定されることはなく、第一工程で横隔壁３５、縦隔壁３４、ダミー隔壁３４Ｄに対応するフォトマスクで露光し、第二工程で縦隔壁３４の高さまで縦隔壁を積み上げる方法でもよい。
【００２４】
また、本発明の実施の形態１のパネル１０ではダミー隔壁３４Ｄの高さは横隔壁３５の高さと同じにしたが、この高さに限定されるものではなく、ダミー隔壁３４Ｄが傾斜した際に、その頭頂部が前面板１１に当接しない程度に低くしてもよい。
【００２５】
この場合の隔壁の製造方法を簡単に説明する。この場合は、横隔壁３５とダミー隔壁３４Ｄと縦隔壁３４を形成する第一工程、第二工程、第三工程の３つの工程を有する。第一工程では、横隔壁３５の高さまで１層目の感光性ペーストの塗布膜を形成し、横隔壁用のフォトマスクで露光を行う。次の第二工程では、ダミー隔壁３４Ｄの高さまで感光性ペーストの塗布膜を形成し、ダミー隔壁用のフォトマスクで露光を行う。最後の第三工程では、縦隔壁３４の高さまで３層目の感光性ペーストの塗布膜を形成し、縦隔壁用のフォトマスクで露光を行う。上記以外は前述した製造方法と同様である。
【００２６】
（実施の形態２）
図５は本発明の実施の形態２におけるパネル１０の断面図であり、図３のＡ−Ａ線断面図である。実施の形態２のパネルが実施の形態１のパネルと異なる点は、３本のダミー隔壁３４Ｄのうち１本のダミー隔壁だけが縦隔壁３４より低い点である。本実施の形態では、表示領域に最も近い側（非表示領域の左端）に配置されたダミー隔壁３４Ｄｃ、および右隣のダミー隔壁３４Ｄｂの高さは縦隔壁３４の高さと同じであり、表示領域から最も遠い側（非表示領域の右端）に配置されたダミー隔壁３４Ｄａだけを横隔壁３５と同じ高さにしている。このように、表示領域から最も遠く最も傾斜しやすいダミー隔壁３４Ｄａの高さだけを低く設定してもよい。これにより、ガラス基板の焼成時にダミー隔壁３４Ｄａが傾斜した場合でも前面板１１を押し上げることがなく、隣接放電セル間のクロストークを防止できる。
【００２７】
（実施の形態３）
図６は本発明の実施の形態３におけるパネル１０の断面図であり、図３のＡ−Ａ線断面図である。実施の形態３のパネルが実施の形態１のパネルと異なる点は、ダミー隔壁３４Ｄの表示領域から遠い部分の高さが近い部分の高さより低くなるように形成している点である。すなわち、図６に示すように、表示領域から最も近いダミー隔壁３４Ｄｃの高さを縦隔壁３４と同じ１２２μｍ、次に近いダミー隔壁３４Ｄｂの高さを１１５μｍ、そして最も遠いダミー隔壁３４Ｄａの高さを横隔壁３５と同じ１０９μｍとしてもよい。こうすることにより、ダミー隔壁３４Ｄａが傾斜した場合はもちろん、例えダミー隔壁３４Ｄｂが傾斜した場合でも前面板１１を押し上げることがなく、隣接放電セル間のクロストークを防止できる。
【００２８】
（実施の形態４）
図７は本発明の実施の形態４におけるパネル１０の断面図である。ただし図７は図３において縦隔壁と平行な面で切断したＢ−Ｂ線断面図である。実施の形態４のパネルが実施の形態１のパネルと異なる点は、ダミー隔壁３４Ｄの高さを縦方向全長にわたって一様に低くするのではなく、横隔壁３５との結合部のみで低くしている点である。図３に示すように、ガラス基板の焼成時にパネル中央方向へ引っ張られて傾斜するのはダミー隔壁３４Ｄの横隔壁３５との結合部周辺だけであり、結合部と結合部との間の中間部付近ではほとんど変化していない。従って、図７に示すようにダミー隔壁３４Ｄの横隔壁３５との結合部周辺だけを低く形成することによって、ガラス基板の焼成時にダミー隔壁３４Ｄが傾斜した場合でも前面板１１を押し上げることがなく、隣接放電セル間のクロストークを防止できる。また、実施の形態４では３本のダミー隔壁３４Ｄすべてについて高さを変化させた場合を説明したが、一部のダミー隔壁３４Ｄの高さを変えてもよい。その場合は、最も傾斜しやすいダミー隔壁３４Ｄａの高さを変えるのが最も効果的である。
【００２９】
以上説明したように、本発明の実施の形態のパネル１０は、背面板１２の非表示領域４１に形成されているダミー隔壁３４Ｄが、ガラス基板の焼成時に、感光性ペーストの収縮によってパネル中央方向へ引っ張られて大きく傾斜した場合でも、その頭頂部が前面板１１を押し上げることがない。従って、縦隔壁３４と前面板１１との間に空隙を作ることがなく、横方向の隣接放電セル間のクロストークを防止することができ高画質なパネルを提供できる。さらに、製造方法も、従来、第二工程で使用していたフォトマスクのダミー隔壁用の露光パターンを、第一工程で使用するフォトマスクに移動すればよい。従って、従来の製造方法をほとんど変えることなく、本実施の形態におけるダミー隔壁３４Ｄを形成できる。
【００３０】
なお、上記の実施の形態では３本のダミー隔壁３４Ｄを設けるものとして説明したが、ダミー隔壁は３本に限定されるものではない。さらに、実施の形態で説明した隔壁の各数値についてはこれに限定されるものでなく、パネルの使用に応じて最適な値に設定することが望ましい。
【産業上の利用可能性】
【００３１】
本発明のパネルは、隣接放電セル間のクロストークの発生を防止でき、高画質を実現するパネルとして有用である。
【図面の簡単な説明】
【００３２】
【図１】本発明の実施の形態に用いるパネルの要部を示す分解斜視図
【図２】本発明の実施の形態に用いる背面板全体の平面図
【図３】本発明の実施の形態における図２の領域Ｓを拡大表示した図
【図４】本発明の実施の形態１における図３のＡ−Ａ線断面図
【図５】本発明の実施の形態２における図３のＡ−Ａ線断面図
【図６】本発明の実施の形態３における図３のＡ−Ａ線断面図
【図７】本発明の実施の形態４における図３のＢ−Ｂ線断面図
【符号の説明】
【００３３】
１０    パネル
１１    前面板
１２    背面板
２２    走査電極
２３    維持電極
３２    データ電極
３４    縦隔壁
３４Ｄ    ダミー隔壁
３５    横隔壁
４０    表示領域
４１    非表示領域
【図１】
2008041602.tif 000003
【図２】
2008041602.tif 000004
【図３】
2008041602.tif 000005
【図４】
2008041602.tif 000006
【図５】
2008041602.tif 000007
【図６】
2008041602.tif 000008
【図７】
2008041602.tif 000009